(57)【要約】      （修正有）【課題】ポスターの交換作業を迅速簡易に行うことが出来る様にしたポスターパネルを提供する。【解決手段】「ロ」字状枠体４と、該枠体の外周形状に合致する大きさの背板２を、これらの間に「コ」字状スペーサー３を介在させて連結合体させたものであり、該スペーサーの外周は該背板の外周に合致し、且つ該スペーサーの内周は該枠体の内周よりも外側となるもの。【選択図】図１
0003183323.tif 000002
【実用新案登録請求の範囲】
【請求項１】
「ロ」字状枠体と、該枠体の外周形状に合致する大きさの背板を、これらの間に「コ」字状スペーサーを介在させて連結合体させたものであり、該スペーサーの外周は該背板の外周に合致し、且つ該スペーサーの内周は該枠体の内周よりも外側となるものであることを特徴とするポスターパネル。
【請求項２】
該スペーサーの内周と、これよりも外側にある該枠体の内周との差は、１０〜２０ｍｍである請求項１記載のポスターパネル。
【請求項３】
該スペーサーの厚さは、３〜６ｍｍである請求項１又は請求項２に記載のポスターパネル。
【請求項４】
該枠体の外側表面に、金属蒸着による鏡面仕上げ加工が施されているものである、請求項１、２又は３記載のポスターパネル。
【考案の詳細な説明】
【技術分野】
【０００１】
本考案は、設置と交換の容易なポスターパネルの構造に関するものである。
【背景技術】
【０００２】
広告手段については、旧くから種々さまざまなものが存在するが、ポスターを貼付するという形態は、永年その主流である。
【０００３】
但し、ポスター自体の耐候強度を強化するとコストアップを招くことになるので、一般には、掲示期間の短い或いは比較的短い掲示の際に「ポスター」という広告手段が採用されることが多い。掲示方法は、壁面その他に画鋲や粘着テープを用いて直接貼付するのが基本であるが、破損が心配される場合や長期掲示が予定される場合には、相応の保護手段を施すことになる。そしてポスターパネルがその代表である。
【０００４】
ポスターパネルは、ポスターという紙体に、自立性（保形性）・耐候性・防汚性等を付与するための枠材であって、これにポスターを収納すると、自立する構造物となると共に破損しにくくなる。
これを壁面に設置すれば壁掛け式ポスターとなるし、これに脚材を付帯させれば立て看板様の掲示物となる。
【０００５】
ポスターパネルの基本構造は額縁に類似する。矩形の背板と、その周囲を覆う枠体、更にそれらの前面を覆う透明板にて構成されるのが典型である。ポスターパネルの場合は、額縁ほど枠体の存在は重要でないので、枠体には幅狭なものが好まれる。
そしてポスターのセットは、枠体の取り外し、或いは背板の取り外し、から開始することになる。
【考案の概要】
【考案が解決しようとする課題】
【０００６】
しかし実際には、ポスターの交換作業は面倒である。特に大判のポスターの場合作業性が落ち、存外労力を伴う大掛かりな作業となる。
【０００７】
そうしたことから本考案者らは、簡便にポスター交換作業ができるパネルを求めて研究に着手した。そして、断面Ｌ字形の突条体を台板上に固設し、この時形成される凹溝をレールとしてポスターを出し入れできるようにするという構造を発案した。この目的を果たすため、該突条体をポスターの外周サイズに合うよう「コ」字状に配置した。
【０００８】
ポスターの出し入れは、周囲四方のうちレールの配置されていない一方側から行なうことになる。ポスター自体に保形性が期待できない場合（ポスターの紙厚が薄い場合や大判の場合）には、透明プラスチック板（通常は無色透明のアクリル樹脂板）を伴って出し入れするようにした。これにより、ひとまず初期の目的は達成された。
【０００９】
しかしながらこの構造物を「ポスターパネル」と捉えて観察した場合、Ｌ字状レールでポスターの「三方」を取り囲んで保持するという構造は、残る「一方」が剥き出しとなるため観察者に欠落感を与えることになり、美観を与えるどころか、見た目の悪いパネルとなっていることに気づいた。
また、この開放された「一方」側部分は、例えばパネルに吹き込んだ風によってポスターが撓もうとしたときにその変形を阻止する機能を持たないという構造であるため、見た目のみならず機能上も理想的なものとは言えなかった。
【課題を解決するための手段】
【００１０】
そこで本考案者は上記点に鑑み、更に研究を重ね、遂に本考案に係るポスターパネルを完成させたものでありその特徴とするところは、「ロ」字状枠体と、該枠体の外周形状に合致する大きさの背板を、これらの間に「コ」字状スペーサーを介在させて連結合体させたものであり、該スペーサーの外周は該背板の外周に合致し、且つ該スペーサーの内周は該枠体の内周よりも外側となるものである点にある。
【００１１】
即ち、「ロ」字状の枠体の外周に合わせて「コ」字状のスペーサーを連結合体させ、更にこのスペーサーに背板を連結合体させるものであるが、枠体の内周よりもスペーサーの内周の方が外側にあるため、開口内部に段差が形成される。本考案は、この開口よりポスターを出し入れし、且つこの段差を利用して保形を図る、というものである。
【００１２】
ポスターは、このスペーサーの厚さ分の間隙で構成されるスリット内に収められることになる。更に、このパネルに透明シートを附属させておき、ポスターが透明シートの内側になるようにして格納すると、ポスター表面を保護することにもなるし、保形性強化も図ることができ好適である。なお便宜上、ポスターと透明シートをセットにしたもの、ポスターのみのもの、を総称して「ポスター等」と呼ぶこととする。
なおこのスリットの幅（スペーサーの厚さ）は、ポスター等の厚さ以上である必要がある。しかし、ポスター等の格納後もある程度の隙間（遊び）が残されていないと出し入れに困難を来すし、逆にこの隙間が大きすぎるとスリット内でポスター等が撓んでしまい美観を損なうことになる。本考案者らが試作実験した範囲では、スペーサーの厚さを３ｍｍ以上６ｍｍ未満とした時、好適であった。
【００１３】
枠体は、外観「ロ」字状のものである。また枠体の外周は、スペーサーの外周に合致するものであるので、外縁を合わせて一体化させることができる。そして、同じくこれらと外周が合致する背板をスペーサーに合わせて一体化させると、一辺のみに開口を有する三層構造体となる。枠体の４辺を構成する４つの板部の幅は、統一する必要はないが、いずれもスペーサーの幅よりも大きいものとする。この幅の差によって内部段差が形成され、この内部段差にポスター等の周縁が嵌り込み格納されることになる。この内部段差の幅（枠体とスペーサーの幅差）に関しても好適なサイズがあり、本考案者らが試作実験した範囲では１０ｍｍ以上２０ｍｍ未満であった。
なお枠体は、ポスター掲示状態においては、ポスターの外周を飾る部材でもあるので、例えば透明アクリル樹脂といったスペーサー部分が透視できてしまうような材質のものは外観上好ましくない。不透明な素材のものを採用したり、塗装するのが良い。或いはプラスチックメタライジング加工（通常、アルミニウムやクロームを材料とする金属蒸着）を施し鏡面仕上げにすると、高級感が演出でき好ましい。
【００１４】
背板は、ポスター等を支持する最も内側の部材である。既述した枠体もスペーサーも、ポスター等の外周部分を保持することしかできないので、ポスター等の保形は、この背板によって図られていると言える。但し、平坦な板である必要はなく、格子状のものであっても良いし、網状のもの、その他であっても良いものとする。
また本考案はその使用方法について何ら限定しない。例えばこれをそのまま壁面に取り付ける壁掛け式のものとしても良いし、脚部材を付帯させ自立タイプの立て看板としても良いものである。よってそのための部材、例えば壁取り付け用金具や脚部材等々の存在は本考案を限定しない。
【考案の効果】
【００１５】
本考案に係るポスターパネルは、以下の如き効果を有する極めて有用な考案である。
【００１６】
（１）  ポスターの出し入れが容易であるので、ポスター交換作業を迅速簡便に行なうことができる。
（２）  製造金型を用いる必要がなく、既成の板材を切削接合するだけで製造できるので少量多品種のパネル製造が低コストでできる。
【図面の簡単な説明】
【００１７】
【図１】本考案に係るポスターパネルの一例を示す概略分解斜視図である。
【図２】図１の本考案パネルに、ポスター等を格納した状態でこれらを水平方向に断面したものを示す部分概略端面図である。
【考案を実施するための最良の形態】
【００１８】
以下図面に基づき本考案を更に詳細に説明する。
【実施例１】
【００１９】
図１は、本考案に係るポスターパネル１（以下「本考案パネル１」という）の一例を示す概略分解斜視図である。図より明らかなように本考案パネル１は、正面から見て後ろ側から順に、背板２、スペーサー３、枠体４を積層して成る三層構造物である。
【００２０】
背板２は、掲示するポスターの保形と本考案パネル１自体の強度を確保するためのベースプレートである。本例の場合、高さ８５７ｍｍ×幅６１０ｍｍ×厚さ５ｍｍの透明アクリル板の四隅にアール加工を施したものを採用したが、アール加工を施さず精確な矩形としても構わないし、透明でなく例えば乳白色のものを用いても良い。
更に、平板ではなく、格子状のもの、網状のもの、等々を用いても良い。
【００２１】
スペーサー３は、背板２の三辺（本例では左右辺及び下辺）に合致する外周の「コ」字状部材である。本例では、厚さ５ｍｍの透明アクリル板を５ｍｍ幅で切断して棒状体を作りこれを接着して形成した。
【００２２】
枠体４は、概形「ロ」字状の部材であって、スペーサー３が構成する三辺と、開放されている一辺（本例では上辺）を覆うものである。外周は背板２及びスペーサー３と合致しているが、スペーサーの幅よりも大きい幅の部材を採用しているため、外観からは窺いにくい箇所である枠体４裏面側に内部段差５が形成されることになる。
本例では、枠体４の幅を２０ｍｍとしているので、この内部段差５は、厚さに関してはスペーサー３の厚さであるところの５ｍｍとなり、奥行きはスペーサー３の幅と枠体４の幅との差であるところの１５ｍｍとなる。
内部段差５の厚さは、格納するポスター等の厚さによって適宜変更しても良いが概ね３〜６ｍｍが好ましい。
内部段差５の奥行きについては、ポスター等が湾曲変形したときの実質的な幅サイズの減少に対しても抜落がないようにある程度の幅が必要となるが、概ねこの奥行きサイズ分だけポスターの露出面積が減少することになるので、種々勘案すると１０〜２０ｍｍ程度とするのが好ましい。
なお本例では材質としては、厚さ３ｍｍのアクリル板を用い、その表面にアルミニウム蒸着によるプラスチックメタライジングにて鏡面加工を施している。
【００２３】
図２は、図１の本考案パネル１に、ポスターＰ及び保護シート６を格納した状態の部分概略端面図である。保護シート６はポスター保護とポスターの撓みを規制するための部材であって図より明らかなように、格納状態でポスターＰはこの保護シート６と背板２に挟着される形となる。
なお本例の保護シート６は、材質が塩化ビニル、厚さ１ｍｍのものを採用した。これとポスターＰの厚さを合わせても、内部段差５の厚さには足りない。即ち、ポスター等格納時にも隙間が残ることになる。
【符号の説明】
【００２４】
１    本考案に係るポスターパネル
２    背板
３    スペーサー
４    枠体
５    内部段差
６    保護シート
Ｐ    ポスター
【図１】
0003183323.tif 000003
【図２】
0003183323.tif 000004